(57)【要約】【課題】  ノズル先端部におけるタールやダスト等の付着を防止することができ、またノズルの着脱作業も容易かつ短時間に行うことができるコークス炉用安水ノズルを提供すること。【解決手段】  下部に吐出孔１１ａを設け、上部を蓋体１３により開閉自在とした筒状ケーシング１１内に、前記吐出孔１１ａに向けて安水を流出するアングルタイプのノズル本体１４を装着したものとした。またノズル本体１４が、ケーシング１１の側面より押さえボルト１５によって固定されているものとした。【選択図】      図２
2006193544.tif 000002
【特許請求の範囲】
【請求項１】
下部に吐出孔を設け、上部を蓋体により開閉自在とした筒状ケーシング内に、前記吐出孔に向けて安水を流出するアングルタイプのノズル本体を装着したことを特徴とするコークス炉用安水ノズル。
【請求項２】
ノズル本体が、ケーシングの側面より押さえボルトによって固定されている請求項１に記載のコークス炉用安水ノズル。
【発明の詳細な説明】
【技術分野】
【０００１】
本発明は、ノズル先端部におけるタールやダスト等の付着を防止することができ、またノズルの着脱作業も容易かつ短時間に行うことができるコークス炉用安水ノズルに関するものである。
【背景技術】
【０００２】
従来から製鉄所においては、特許文献１や特許文献２に示されるように、コークス炉で発生したコークス炉ガスを副次ガスとしてドライメインへ送り込み回収している。図１は、その回収システムの概略図を示すものであり、コークス炉１で発生したコークス炉ガスを頂部に設けられた上昇管２を通じてベンド管３に導き、次いでドライメイン４へ送り込み回収するよう構成されている。
この場合、ドライメイン４の開口部に対向するベンド管３の上壁には、安水ノズル１０が設置されており、この安水ノズル１０よりスプレー噴射する安水のエジェクタ作用によって、コークス炉ガスの効率的な回収を行うようにしている。
【０００３】
図４は、従来の安水ノズル１０を示すものである。図４において、２１はストレートな円筒状のノズル本体、２１ａはノズル固定用の鍔部、２３はノズル内部に装着される水流旋回チップであり、ノズル本体２１の先端部がベンド管３の内部に突出した状態でボルト２２により鍔部２１ａがベンド管３に取り付けられている。このような安水ノズルでは、ノズル本体２１を流れる安水が水流旋回チップ２３により旋回・分散されてノズル先端よりベンド管の内部に向けて噴射されるように構成されている。
【０００４】
一方、コークス炉ガス中にはタールミストや石炭微粉等のダストが含まれており、これらがベンド管３内に突出したノズル本体２１の先端部に付着する。また、ノズル本体２１へ流入する安水は噴射時にタールミストやダストを巻き込んで循環使用されるため、ノズル内部の安水の水流旋回チップ２３が閉塞することがある。これらの影響により、安水噴射時のスプレー状態を変形し、コークス炉ガスの吸引能力を低下させるという現象が生じる。そこで定期的に、あるいは吸引能力が低下した段階でノズルを点検し、付着物や閉塞物の除去もしくはノズル本体２１の交換をして吸引能力を維持している。
【０００５】
しかしながら、ノズルの点検や清掃・交換のためのノズル着脱作業に際し、従来の安水ノズルの場合は、錆び付いたボルト２２を溶断し、あるいはノズル本体２１を溶断した後に水流旋回チップ２３を取り外すとともにノズル内部を清掃するため、長時間を要するという問題点があった。また、従来のようにノズル本体２１の先端部をベンド管３内に突出させた構造のものでは、ノズル先端部にタール等が付着・成長しやすいという問題点もあった。
【特許文献１】特開昭３３−１０６２８６号公報
【特許文献２】特開平１１−５９８１号公報
【発明の開示】
【発明が解決しようとする課題】
【０００６】
本発明は上記のような問題点を解決して、ノズル先端部およびノズル内部におけるタールやダスト等の付着・閉塞を防止することができ、またノズルの着脱作業も容易かつ短時間に行うことができるコークス炉用安水ノズルを提供することを目的として完成されたものである。
【課題を解決するための手段】
【０００７】
上記課題を解決するためになされた本発明のコークス炉用安水ノズルは、下部に吐出孔を設け、上部を蓋体により開閉自在とした筒状ケーシング内に、前記吐出孔に向けて安水を流出するアングルタイプのノズル本体を装着したことを特徴とするものである。
【発明の効果】
【０００８】
本発明は、筒状ケーシング内に吐出孔に向けて安水を流出するアングルタイプのノズル本体を装着した簡単な構造であり、従来のようにノズル先端部がベンド管内に突出していないため、ノズル先端部におけるタール等の付着・成長を防止することができる。また、蓋体を開いて簡単にノズル本体を取り出せる構造であるので、ノズルの内部点検や清掃・交換作業を短時間で行うことができる。
【発明を実施するための最良の形態】
【０００９】
以下に、図面を参照しつつ本発明の好ましい形態を示す。
図１は、コークス炉１で発生したコークス炉ガスを頂部に設けられた上昇管２を通じてベンド管３に導き、次いでドライメイン４へ送り込み回収するコークス炉ガスの回収システムを示すものである。前記ドライメイン４の開口部に対向するベンド管３の上壁には、安水ノズル１０が設置されており、この安水ノズル１０よりスプレー噴射する安水のエジェクタ効果によって、コークス炉ガスの効率的な回収を行うようにしている。
【００１０】
本発明のコークス炉用安水ノズル１０は、図２に示されるように、下部に吐出孔１１ａを設けた筒状ケーシング１１内に、前記吐出孔１１ａに向けて安水を流出するアングルタイプのノズル本体１４を装着したものである。また、前記ケーシング１１は、下端部の鍔部１１ｂをボルト１２（図示のものでは４本のボルト）により締結してベンド管３に固定されており、上部は蓋体１３によって開閉自在とされている。
【００１１】
本発明ではノズル本体１４として、アングルタイプのものが最適である。このアングルタイプのノズルとは、ノズル本体に流入する水の方向と噴射される水の方向にアングル（角度）を設けたものであり、図示のものでは、天板部に傾斜面を形成してほぼ９０°のアングルを設けたものとなっている。また、ノズル内部に水流旋回チップ２３を持たないため、閉塞の心配が少ない。
従来、コークス炉用安水ノズルとしては、図４に示されるような、ノズル本体に流入する水の方向と噴射される水の方向が同じであるストレートタイプのノズルを用いるのが普通であったが、ノズル内部の水流旋回チップ２３を十分に分散させるには一定のノズル長さが必要であり、ノズル先端部がベンド管３内に突出するのを避けることはできなかった。そこで、本発明ではノズル先端部がベンド管３内に突出しない構造にするため、アングルタイプのようなノズル本体の小型化を図れるものが最適である。
【００１２】
このノズル本体１４は、ケーシング１１の側面より押さえボルト１５によって給水管１６側へ押し当てられて、水平方向にしっかりと固定された構造となっている。更に、ノズル本体１４は蓋体１３の裏面側下端部によってベンド管３の孔部３ａに押し当てられて、垂直方向にもしっかりと固定された構造となっている。
なお、ノズル本体１４と給水管１６との間にはリング状パッキン等のシーリング材１７が装着されて気密性を保持している。
【００１３】
このように構成したコークス炉用安水ノズルでは、給水管１６より流入した安水がノズル本体１４で下向きに方向を変えられて吐出孔１１ａを経由し、ベンド管３の孔部３ａより内部に向けて一定角度に開いて散水されることとなる。この時、コークス炉ガスは安水のエジェクタ効果によって吸引されてドライメイン４へ送り込まれ、効率的に回収されることとなる。
また本発明では、従来のようにノズル先端部がベンド管３内に突出しない構造であるため、ノズル先端部におけるタール等の付着・成長が防止され、長時間にわたって所定のスプレー状態を維持することが可能となる。更には、蓋体１３を開き、押さえボルト１５を緩めるだけの簡単な操作でノズル本体１４を取り出せる構造であるので、ノズルの内部点検や清掃・交換作業を短時間で行うことができる。
【００１４】
なお、従来の場合は、水流旋回チップ２３を取り外すのに、錆び付いたボルトの溶断作業等を経て約１時間要したのに対し、本発明では工具としてスパナ１個を使用して、蓋体１３と押さえボルト１５を緩めるだけの簡単な操作で約５分でノズル本体１４を取り出すことができる。
また、安水流量と吸引圧の関係を調べた結果は、図３に示されるように、１５ｍ３／Ｈ以上の安水流量であれば、所望の吸引能力（−４００Ｐａ）を得られることが確認できた。
【００１５】
以上の説明からも明らかなように、本発明は下部に吐出孔を設け、上部を蓋体により開閉自在とした筒状ケーシング内に、前記吐出孔に向けて安水を流出するアングルタイプのノズル本体を装着したものであるので、ノズル先端部におけるタールやダスト等の付着を極力防止することができ、またノズルの着脱作業も容易かつ短時間に行うことができることとなる。
【図面の簡単な説明】
【００１６】
【図１】本発明の実施の形態を示す断面図である。
【図２】コークス炉を示す概略説明図である。
【図３】安水流量と吸引圧の関係を示すグラフである。
【図４】従来例を示す正面図である。
【符号の説明】
【００１７】
１  コークス炉
２  上昇管
３  ベンド管
３ａ  孔部
４  ドライメイン
１１  ケーシング
11ａ  吐出孔
11ｂ  鍔部
１２  ボルト
１３  蓋体
１４  ノズル本体
１５  押さえボルト
１６  給水管
１７  パッキン
【図１】
2006193544.tif 000003
【図２】
2006193544.tif 000004
【図３】
2006193544.tif 000005
【図４】
2006193544.tif 000006